(57)【特許請求の範囲】
【請求項１】
回転軸（１２）周りに複数枚のブレード（１３）を有する遠心式多翼ファン（１１）と、
前記遠心式多翼ファン（１１）を収納するとともに、前記回転軸（１２）の軸方向一端側に吸入口（１６）を有し、巻き始め部（２２）から巻き終わり部（２３）にかけて渦巻き状に形成されたスクロールケーシング（１５）とを備え、
前記スクロールケーシング（１５）内部であって、前記遠心式多翼ファン（１１）の径外方側には、前記遠心式多翼ファン（１１）から径外方側に吹き出された空気が流れる空気通路（２１）が形成されており、
前記遠心式多翼ファン（１１）の外周端下方に位置する一端（２０ａ、１４ｄ）から、前記遠心式多翼ファン（１１）より離れる側に、前記回転軸（１２）の軸方向に略平行に延びた形状の面を有し、前記空気通路（２１）を形成している壁部（２０、１４ｃ）と、
前記スクロールケーシング（１５）の一部であって、前記壁部（２０、１４ｃ）の前記一端（２０ａ、１４ｄ）から前記回転軸（１２）の軸方向に略平行に延びた側の部位（２０ｂ、１４ｅ）を始点として、前記遠心式多翼ファン（１１）の径外方側になるに従って、前記吸入口（１６）とは反対側に向かうように傾斜するとともに、前記空気通路（２１）を形成している傾斜部（１８、１８ａ）とを備えることを特徴とする遠心式送風機。
【請求項２】
前記スクロールケーシング（１５）は、前記遠心式多翼ファン（１１）の外周端下方に位置する一端（２０ａ）から、前記遠心式多翼ファン（１１）より離れる側に、前記回転軸（１２）の軸方向に略平行に延びた形状の面を有する壁部（２０）と、
前記壁部（２０）の前記一端（２０ａ）から前記回転軸（１２）の軸方向に略平行に延びた側の他端（２０ｂ）を始点とし、前記遠心式多翼ファン（１１）の径外方側になるに従って、前記吸入口（１６）とは反対側に向かうように傾斜する傾斜部（１８、１８ａ）とを備えることを特徴とする請求項１に記載の遠心式送風機。
【請求項３】
前記壁部（２０）の前記回転軸の軸方向での長さ（ｈ１）は、前記巻き始め部（２２）から前記巻き終わり部（２３）にかけて一定であることを特徴とする請求項１または２に記載の遠心式送風機。
【請求項４】
前記壁部（２０）の前記回転軸の軸方向での長さ（ｈ１）は、前記遠心式多翼ファン（１１）の回転方向で、前記巻き始め部（２２）から前記巻き終わり部（２３）に向かうにつれて長くなっていることを特徴とする請求項１または２に記載の遠心式送風機。
【請求項５】
前記壁部（２０）の前記回転軸の軸方向での長さ（ｈ１）は、前記遠心式多翼ファン（１１）の回転軸の軸方向での長さ（ｈ２）の０．０５倍以上０．２倍以下の範囲内であることを特徴とする請求項１ないし４のいずれか１つに記載の遠心式送風機。
【請求項６】
前記壁部（２０）の前記回転軸の軸方向での長さ（ｈ１）は、前記空気通路（２１）のうち、前記回転軸の軸方向で、前記壁部（２０）の前記一端（２０ａ）よりも前記吸入口から離れる側に位置する部分の最大深さ（ｈ３）の０．２倍以上０．４倍以下の範囲内であることを特徴とする請求項１ないし４のいずれか１つに記載の遠心式送風機。
【請求項７】
前記傾斜部（１８）は、前記空気通路側で前記壁部（２０）となす角度が、前記遠心式多翼ファン（１１）の回転方向で、前記巻き始め部（２２）から前記巻き終わり部（２３）に向かうにつれて、大きくなっていることを特徴とする請求項１ないし６のいずれか１つに記載の遠心式送風機。  
【請求項８】
前記傾斜部（１８ａ）は、前記回転軸の軸方向に垂直な方向での前記回転軸（１２）からの距離（ｒ’）が、前記遠心式多翼ファン（１１）の回転方向で、対数螺旋的に変化していることを特徴とする請求項１ないし７のいずれか１つに記載の遠心式送風機。
【発明の詳細な説明】
【技術分野】
【０００１】
本発明は、回転軸周りに配設された複数枚のブレードを有する遠心式多翼ファンを備える遠心式送風機に関するもので、車両用空調装置の送風機に適用して有効である。
【背景技術】
【０００２】
この種の遠心式送風機では、渦巻き状のスクロールケーシングの中心部に遠心式多翼ファンを配置している。このスクロールケーシング内部であって遠心式多翼ファンの径外方側には、遠心式多翼ファンから径外方側に吹き出された空気が流れる空気通路が形成されており、スクロールケーシングの巻き終わり側には空気通路を流れた空気を送風機外部に吹き出す吹出口が設けられている。
【０００３】
そして、このような遠心式送風機として、スクロールケーシングの底板部に、遠心式多翼ファンの径外方側になるに従って空気取入口とは反対側に向かうように傾斜する傾斜部を形成したものがある（例えば、特許文献１参照）。これは、遠心式多翼ファンからの吐出風がスクロールケーシングの底板部に衝突することなく、傾斜部によって案内されてスムーズな流れを形成することを図ったものである。
【特許文献１】特許第３４８９４６９号公報
【発明の開示】
【発明が解決しようとする課題】
【０００４】
しかし、近年、空気流れの解析技術が向上しており、上記したスクロールケーシングの底板部に傾斜部を形成した構成において、遠心式多翼ファンから径外方側に吹き出された空気の流れ解析を行ったところ、遠心式多翼ファンから吹き出された空気がスクロールケーシングの側壁に衝突することによって、空気通路内で旋回流が発生していることがわかった。
【０００５】
ここで、図１０に、空気通路内で旋回流が発生している状況の模式図を示す。図１０は、遠心式送風機の要部断面図である。図１０に示す遠心式送風機では、遠心式多翼ファン１１から径外方側に吹き出された空気が流れる空気通路２１が、スクロールケーシング１５の上面部１７、底部１８および側壁部１９によって構成されており、底部１８が傾斜している。そして、図１０に示すように、遠心式多翼ファン１１から径外方側に吹き出された空気が側壁１９に衝突することで、底部１８に沿って、遠心式多翼ファン１１に向かって流れる旋回流が生じる。すなわち、この旋回流は、遠心式多翼ファン１１からの吐出風に対向しているので、両者が衝突し、乱流の発生を招くことになる。このため、損失が生じて効率が低下するとともに騒音が発生するという問題が生じる。
【０００６】
本発明は、上記点に鑑み、旋回流と、遠心式多翼ファン１１からの吐出風との衝突による乱流の発生を抑制することで、騒音の発生が少なく効率の良い送風機を提供することを目的とする。
【課題を解決するための手段】
【０００７】
上記目的を達成するため、本発明は、遠心式多翼ファン（１１）の外周端下方に位置する一端（２０ａ）から、遠心式多翼ファン（１１）より離れる側に、回転軸（１２）の軸方向に略平行な方向に延びた形状の面を有し、空気通路（２１）を形成している壁部（２０）と、スクロールケーシング（１５）の一部であって、壁部（２０）の一端（２０ａ）から回転軸（１２）の軸方向に略平行な方向に延びた側の部位（２０ｂ）を始点として、遠心式多翼ファン（１１）の径外方側になるに従って、吸入口（１６）とは反対側に向かうように傾斜するとともに、空気通路（２１）を形成している傾斜部（１８、１８ａ）とを備えることを特徴としている。
【０００８】
これによれば、スクロールケーシング内の空気通路に生じる旋回流の流れを、傾斜部および壁部に沿った流れとすることができる。したがって、遠心式多翼ファンから径外方側に吹き出された空気流れに対して、旋回流が、回転軸の軸方向に平行な方向から衝突することとなるので、旋回流と、遠心式多翼ファンからの吐出風との衝突を緩和でき、衝突による乱流の発生を抑制することができる。この結果、騒音の発生が少なく効率の良い送風機を提供できる。
【０００９】
なお、本発明におけるスクロールケーシング（１５）を渦巻き状に形成するとは、スクロールケーシング（１５）を厳密な渦巻き形状に形成することのみを意味するものではなく、渦巻き形状に近似する形状に形成することをも含む意味のものである。
【００１０】
本発明においては、例えば、回転軸（１２）の軸方向に略平行な方向に延びた壁部を、スクロールケーシングで構成したり、遠心式多翼ファンを駆動するモータの壁面を利用して構成したりすることが可能である。
【００１１】
また、本発明においては、壁部（２０）の回転軸の軸方向での長さ（ｈ１）を、例えば、巻き始め部（２２）から巻き終わり部（２３）にかけて一定としたり、遠心式多翼ファン（１１）の回転方向で、巻き始め部（２２）から巻き終わり部（２３）に向かうにつれて長くしたりすることができる。
【００１２】
また、壁部（２０）の回転軸の軸方向での長さ（ｈ１）は、例えば、遠心式多翼ファン（１１）の回転軸の軸方向での長さ（ｈ２）の０．０５倍以上０．２倍以下の範囲内、もしくは、空気通路（２１）のうち、回転軸の軸方向で、壁部（２０）の一端（２０ａ）よりも吸入口から離れる側に位置する部分の最大深さ（ｈ３）の０．２倍以上０．４倍以下の範囲内とする。
【００１３】
また、傾斜部（１８）については、例えば、空気通路側で傾斜部（１８）と壁部（２０）とのなす角度を、遠心式多翼ファン（１１）の回転方向で、巻き始め部（２２）から巻き終わり部（２３）に向かうにつれて、大きくしたり、回転軸の軸方向に垂直な方向での回転軸（１２）からの距離を、遠心式多翼ファン（１１）の回転方向で、対数螺旋的に変化させたりしても良い。
【００１４】
なお、特許請求の範囲およびこの欄で記載した各手段の括弧内の符号は、後述する実施形態に記載の具体的手段との対応関係を示す一例である。
【発明を実施するための最良の形態】
【００１５】
（第１実施形態）
図１に、本発明の第１実施形態における遠心送風機（以下、送風機と略す。）１０の上面図を示し、図２に、図１中のＺ１−Ｚ１断面図を示す。
【００１６】
遠心式多翼ファン（以下、ファンと略す。）１１は、回転軸１２周りに複数枚のブレード１３を有し、径内方側（回転軸１２側）から空気を吸入して、その吸入した空気を径外方側に吹き出す送風手段である。
【００１７】
電動モータ１４は、ファン１１を図１中の矢印ａ方向に回転駆動する駆動手段であり、この電動モータ１４（以下、モータと略す。）は、ファン１１を収納するスクロールケーシング１５（以下、スクロールと略す。）の内部に固定されている。
【００１８】
このスクロール１５は、図１に示すように、中心部にファン１１が位置するように略渦巻き状に形成されている。スクロール１５は、例えば、樹脂製であり、吸入口１６側とモータ１４側の２つの分割体１５ａ、１５ｂに分割して形成されており、この２つの分割体１５ａ、１５ｂをねじやクリップ等の締結手段により一体に締結することによりスクロール１５が構成される。
【００１９】
スクロール１５は、その回転軸１２の軸方向一端側（モータ１４と反対側）に、空気を導入するための吸入口１６が形成されており、この吸入口１６の外形縁部には、吸入空気を滑らかにファン１１に導くベルマウス１６ａが設けられている。
【００２０】
スクロール１５は、吸入口１６側（図２中の上側）に位置する吸入口側壁部（上端面）１７と、モータ側（図２中の下側）に位置し、吸入口側壁部１７に対向するモータ側壁部（下端面）１８とを有している。
【００２１】
吸入口側壁部１７は、ベルマウス１６ａの外周側縁部からファン１１の径外方側に、回転軸１２の軸方向に垂直に延びており、渦巻き状の平面形状を有している。一方、モータ側壁部１８は、モータ１４の外周部であるフランジ側壁面１４ｂからファン１１の径外方側に延びており、ファン１１の径外方側になるに従って、吸入口１６とは反対側（図２中の下側）に向かうように傾斜している。
【００２２】
スクロール１５の外周側であって、両壁部１７、１８の径外方側先端部の間には回転軸１２側を向いた外周側側壁１９が形成されている。外周側側壁部１９は、ファン１１の径外方側におけるスクロール１５の外形を構成しており、外周側側壁部１９の断面形状は、例えば、図２に示すように、回転軸１２に平行な直線形状である。
【００２３】
また、図２に示すように、スクロール１５の内周側には、ファン１１の外周端下方に位置する一端２０ａから、ファン１１より離れる側（図２中の下側）に、回転軸１２の軸方向に平行に延びた形状の面を有する内周側側壁部２０が形成されている。すなわち、内周側側壁部２０の断面形状は、回転軸１２に平行な直線形状である。なお、厳密に平行でなくても、平行に対して多少の誤差がある程度（略平行）であってもよい。
【００２４】
内周側側壁部２０の一端２０ａは、モータ１４のフランジ上面１４ａと同じ高さであって、ファン１１の外周端の真下よりもわずかにファン１１の外周側に位置している。内周側側壁部２０は、モータ１４のフランジ側面１４ｂに固定されている。
【００２５】
また、内周側側壁部２０の回転軸１２の軸方向に平行な方向での長さｈ１は、巻き始め部２２から巻き終わり部２３にかけて一定となっている。この内周側側壁部２０の長さｈ１は、例えば、ファン１１の高さ、すなわち、回転軸の軸方向での長さｈ２の０．０５倍以上０．２倍以下の範囲内とする。もしくは、空気通路２１のうち、回転軸の軸方向で、内周側側壁部２０の一端２０ａよりも吸入口１６から離れる側（図２中の下側）に位置する部分（外周側側壁１９のうち、内周側側壁部２０の一端２０ａよりも下側部分１９ａ）の最大深さｈ３の０．２倍以上０．４倍以下の範囲内とする。
【００２６】
また、内周側側壁部２０とモータ側壁部１８の関係については、内周側側壁部２０の他端２０ｂを始点として、モータ側壁部１８が傾斜している。
【００２７】
スクロール１５の内部であってファン１１の径外方側には、ファン１１から吹き出す空気（吐出風）が流れる空気通路２１が形成されている。より具体的には、上記した吸入口側壁部１７と、モータ側壁部１８と、外周側側壁部１９と、内周側側壁部２０と、ファン１１の径外方側縁部とで囲まれる空間によって空気通路２１が形成されている。
【００２８】
ここで、外周側側壁１９は、回転軸１２からの距離（スクロール半径）ｒがファン１１の回転方向ａに向かって、徐々に拡大する形状になっている。スクロール半径ｒは、例えば、対数螺線、すなわちｒ＝ｒ０・ｅｘｐ（θ・ｔａｎ（α））的に変化している。ここで、ｒ０は基準線Ｌ１上における（巻き始め部での）スクロール半径であり、θは、巻き角であり、巻き始め部２２とファン１１の回転中心１２とを結ぶ基準線Ｌからファン回転方向ａで図ったときの角度である。また、αは拡がり角であり、本実施形態では、この拡がり角αを３〜５度としている。
【００２９】
このため、空気通路２１は渦巻き状となって、空気通路２１の通路断面積は、スクロール１５の巻き始め部２２から巻き終わり部２３へ向かうほど拡大している。
【００３０】
次に、上記構成における本実施形態の作動について説明する。電動モータ１４に通電してファン１１を図１の矢印ａ方向に回転駆動すると、ファン１１は、吸入口１６から吸入された空気をファン１１の径外方側に吹き出す。ファン１１から吹き出された空気は空気通路２０を巻き終わり部２１へ向かって流れて、吹出口２２から送風機１０の外部へ吹き出される。
【００３１】
図３に、図１の遠心送風機１０の要部断面図を示す。図３は、図２中の空気通路２１付近の拡大図に相当する。
【００３２】
ファン１１から径外方側に吹き出された吐出風は、図３中の複数の平行な矢印で示されるように、風速分布を有している。なお、この風速分布は、矢印が長いほど風速が大きいことを示している。
【００３３】
さらに、その吐出風の一部は、図３中の矢印のように、外周側側壁１９の下部１９ａ、モータ側壁部１８、内周側側壁２０の順に沿って流れる旋回流を形成することとなる。そして、ファン１１からの吐出風と旋回流の向きに着目すると、両者が衝突する際の向きは、互いに交差する方向となっている。すなわち、旋回流は、ファン１１から径外方側に吹き出された吐出風に対して、回転軸の軸方向に平行な方向（図３中の上方向）を向いて衝突することとなるので、図１０に示すように、旋回流がファン１１からの吐出風に対向して衝突する場合と比較して、旋回流とファンからの吐出風との衝突を緩和できる。これにより、ファン１１からの吐出風と旋回流とが合流した風流れが形成され、乱流の発生を抑制できる。この結果、騒音の発生が少なく効率の良い送風機が得られる。
【００３４】
また、本実施形態では、スクロール１５は、内周側側壁部２０の一端２０ａがモータ１４のフランジ上面１４ａと同じ高さであって、内周側側壁部２０の他端２０ｂを始点として、モータ側壁部１８が傾斜している形状である。すなわち、フランジ上面１４ａとスクロール底面であるモータ側壁部１８とに間に段差が生じているので、送風機内に水分が浸入した場合であっても、モータ１４の浸水を防止することができる。
【００３５】
（第２実施形態）
図４に、本発明の第２実施形態における送風機１０の上面図を示し、図５に、図４中のＺ２−Ｚ２断面図を示す。なお、図４、５では、図１、２と同様の構成部に、図１、２と同一の符号を付している。
【００３６】
第１実施形態では、スクロール底面となるモータ側壁部１８の全部が傾斜していたが、本実施形態では、モータ側壁部１８の一部を傾斜させている。
【００３７】
例えば、図５に示すように、巻き始め部２２では、モータ側壁部１８（図５中のファン１１よりも右側に位置するモータ側壁部１８）は、ファン１１の径方向の全域で傾斜しているが、巻き始め部２２から巻き終わり部２３の間では、モータ側壁部１８（図５中のファン１１よりも左側に位置するモータ側壁部１８は、傾斜している傾斜部１８ａと、回転軸１２に垂直な面を有する垂直部１８ｂとを有している。
【００３８】
そして、図４中の破線のように、回転軸１２から傾斜部１８ａの外周側端部３１までの距離ｒ’を、対数螺旋、すなわちｒ’＝ｒ０・ｅｘｐ（θ・ｔａｎ（α’））的に変化させている。本実施形態では、第１実施形態と同様に、スクロール半径ｒを対数螺旋的に変化させており、スクロール半径ｒの拡がり角α（例えば、４°）よりも、回転軸１２から傾斜部１８ａの外周側端部３１までの距離ｒ’の拡がり角α’（例えば、２°）を小さくしている。
【００３９】
なお、本実施形態においても、第１実施形態と同様に、内周側側壁部２０の回転軸１２の軸方向に平行な方向での長さｈ１は、巻き始め部２２から巻き終わり部２３にかけて一定である。
【００４０】
本実施形態のように、モータ側壁部１８の一部を傾斜させても、第１実施形態と同様の効果を得ることができる。
【００４１】
（第３実施形態）
図６に、本発明の第３実施形態における送風機１０の断面図を示す。なお、図６は、図１中のＺ１−Ｚ１断面図に対応する図である。
【００４２】
また、図７（ａ）〜（ｆ）に、それぞれ、図１におけるＡ−Ａ断面図、Ｂ−Ｂ断面図、Ｃ−Ｃ断面図、Ｄ−Ｄ断面図、Ｅ−Ｅ断面図、Ｆ−Ｆ断面図を示す。なお、図７（ａ）は、巻き始め部２２における空気通路２１の断面形状を示しており、図７（ｆ）は、巻き終わり部２２における空気通路２１の断面形状を示している。図６、７では、図２と同様の構成部に図２と同一の符号を付している。
【００４３】
第１、第２実施形態では、内周側側壁部２０の回転軸１２の軸方向に平行な方向での長さｈ１が、巻き始め部２２から巻き終わり部２３にかけて一定であったが、本実施形態では、内周側側壁部２０の回転軸１２の軸方向に平行な方向での長さｈ１は、ファン１１の回転方向ａで、巻き始め部２２から巻き終わり部２３に向かうにつれて、徐々に長くなった後、一定長さを保っている。
【００４４】
具体的には、図６、図７（ａ）に示すように、巻き始め部２２では、内周側側壁部２０の長さｈ１を０とし、すなわち、内周側側壁部２０を設けず、スクロール底面であるモータ側壁部１８を回転軸１２に垂直な面方向としている。
【００４５】
そして、図７（ｂ）、（ｃ）に示すように、巻き始め部２２から図１中の線分Ｃ−Ｃの位置までの間では、モータ側壁部１８を回転軸１２に垂直な面方向としたまま、内周側側壁部２０の長さｈ１を徐々に長くなるように変化させている。図１中の線分Ｃ−Ｃの位置で、内周側側壁部２０の長さｈ１は最大値となる。また、図１中の線分Ｃ−Ｃの位置は、例えば、巻き角θが６０°〜８０°の位置である。内周側側壁部２０の長さｈ１については、例えば、図７（ｂ）に示す線分Ｂ−Ｂの位置では５ｍｍ、図７（ｃ）に示す線分Ｃ−Ｃの位置では１０ｍｍとすることができる。
【００４６】
なお、巻き始め部２２から図１中の線分Ｃ−Ｃの位置までの間では、空気通路２１のうち、内周側側壁部２０の一端２０ａよりも図中下側に位置する部分（外周側側壁１９のうち、内周側側壁部２０の一端２０ａよりも下側部分１９ａ）の最大深さｈ３は、内周側側壁部２０の長さｈ１と同じである。
【００４７】
そして、図７（ｄ）〜（ｆ）に示すように、図１中の線分Ｃ−Ｃの位置を超えて、巻き終わり部２３までの間では、内周側側壁部２０の長さｈ１は、一定長さ、例えば、１０ｍｍで保持されており、空気通路２１のうち、内周側側壁部２０の一端２０ａよりも図中下側に位置する部分の最大深さｈ３が、徐々に長くなるように変化している。例えば、最大深さｈ３については、図７（ｄ）に示す線分Ｄ−Ｄの位置では１５ｍｍ、図７（ｅ）に示す線分Ｅ−Ｅの位置では２０ｍｍ、図７（ｆ）に示す線分Ｆ−Ｆの位置では、２５ｍｍとすることができる。  
【００４８】
このため、図１中の線分Ｃ−Ｃの位置を超えて、巻き終わり部２３までの間では、スクロール底面であるモータ側壁部１８が、第１実施形態と同様に、傾斜している。また、図１中の線分Ｃ−Ｃの位置を超えて、巻き終わり部２３までの間では、内周側側壁部２０の長さｈ１が一定のまま、最大深さｈ３が徐々に長くなっているので、モータ側壁部１８の傾斜角度（空気通路２１側における内周側側壁部２０とモータ側壁部１８とのなす角度）は、巻き角θが大きくなるに連れて、徐々に大きくなっている。
【００４９】
本実施形態によっても、内周側側壁部２０が存在する部分において、第１実施形態と同様の効果が得られる。
【００５０】
（第４実施形態）
図８に、本発明の第４実施形態における送風機１０の断面図を示す。なお、図８は、図１中のＺ１−Ｚ１断面図に対応する図であり、図８では、図２と同様の構成部に図２と同一の符号をしている。
【００５１】
上記した各実施形態では、例えば、図２に示すように、ファン１１の下側に、ファン１１の外径と同等の外径のモータ１４が配置されている構成であったが、本実施形態では、図８に示すように、モータ１４の外径がファン１１の外径よりも小さく、ファン１１の下方に、スクロール１５の底板部３２が配置された構成となっている。この底板部３２は、回転軸１２の軸方向に垂直な面方向となっている。
【００５２】
そして、本実施形態においても、スクロール１５は、底板部３２の最外周端であって、ファン１１の外周端下方に位置する一端２０ａから、ファン１１より離れる側（図８中の下側）に、回転軸１２の軸方向に平行に延びた形状の面を有する内周側側壁部２０が形成されている。さらに、内周側側壁部２０の他端２０ｂを始点として、モータ側壁部１８が傾斜している。
【００５３】
本実施形態においても、スクロール１５には、内周側側壁部２０が形成されており、内周側側壁部２０の他端２０ｂを始点としてモータ側壁部１８が傾斜しているので、第１実施形態と同様の効果が得られる。
【００５４】
（第５実施形態）
図９に、本発明の第５実施形態における送風機１０の断面図を示す。なお、図９は、図１中のＺ１−Ｚ１断面図に対応する図であり、図９では、図２と同様の構成部に図２と同一の符号をしている。
【００５５】
上記した各実施形態では、スクロール１５に内周側側壁部２０を設けることで、ファン１１の外周端下方に、回転軸１２の軸方向に平行に延びた形状の面を形成し、その面およびその他の面によって、空気通路２１を形成していたが、本実施形態では、内周側側壁部２０の代わりに、モータ１４のフランジ側壁面１４ｃを利用して、ファン１１の外周端下方に、回転軸１２の軸方向に平行に延びた形状の面を構成している。
【００５６】
本実施形態では、スクロール１５の形状について、内周側側壁部２０を省略して、スクロール底面であるモータ側壁部１８の内周側端部に、そこから下方向に延びている、モータ１４のフランジ側面１４ｂに沿った端面３３を有する形状に変更し、この端面３３をモータ１４のフランジ側面１４ｂに固定している。
【００５７】
これにより、本実施形態では、フランジ側面１４ｂの一部１４ｃと、モータ側壁部１８と、外周側側壁部１９と、吸入口側壁部１７とによって、空気通路２１を構成している。このとき、フランジ側面１４ｂの一部１４ｃは、ファン１１の外周端下方に位置する一端１４ｄからの回転軸１２の軸方向での長さｈ１を有している。そして、フランジ側面１４ｂの一部１４ｃのうち、一端１４ｄから図中下側に延びた部位１４ｅを始点として、モータ側壁部１８が傾斜した形状となっている。
【００５８】
本実施形態のように、モータ１４のフランジ側面１４ｂの一部１４ｃを利用しても、ファン１１から径外方側に吹き出された吐出風に向かう旋回流の流れ方向を、回転軸の軸方向に平行な方向とすることができる。
【００５９】
（他の実施形態）
（１）第１〜第４実施形態では、内周側側壁部２０の一端２０ａは、モータ１４のフランジ上面１４ａと同じ高さであって、ファン１１の外周端の真下よりもわずかにファン１１の外周側に位置していたが、これに限られず、ファン１１の外周端の真下近傍に位置していれば良く、ファン１１から径外方側に吹き出された吐出風に向かう旋回流の流れ方向を、回転軸の軸方向に平行な方向とすることができれば、内周側側壁部２０の一端２０ａの位置を変更しても良い。
【００６０】
例えば、ファン１１の径方向において、ファン１１の外周端の真下よりも、回転軸１２側や外周側に、内周側側壁部２０の一端２０ａが位置してもよく、回転軸１２に平行な方向においては、ファン１１の下端部よりもファン１１から離れた側に、内周側側壁部２０の一端２０ａが位置していれば良く、ファン１１の下端部から内周側側壁部２０の一端２０ａまでの距離を任意に変更しても良い。
【００６１】
要するに、内周側側壁部２０の一端２０ａは、ファン１１の外周端下方に位置していればよい。第５実施形態においても同様である。
【００６２】
（２）第３実施形態では、内周側側壁部２０の長さｈ１を、ファン１１の回転方向ａで、巻き始め部２２から巻き終わり部２３に向かうにつれて、所定長さに到達するまで、徐々に長く変化させた後、一定に保っていたが、巻き始め部２２から巻き終わり部２３の間の全域で、徐々に長く変化させてもよい。
【００６３】
また、巻き始め部２２で、内周側側壁部２０の長さｈ１を０としていたが、０より大きくてもよい。
【００６４】
（３）第３実施形態では、図１中の線分Ｃ−Ｃの位置を超えて、巻き終わり部２３までの間において、スクロール底面であるモータ側壁部１８が傾斜していたが、巻き始め部２２から巻き終わり部２３までの間において、モータ側壁部１８を傾斜させても良い。すなわち、巻き始め部２２の位置で、モータ側壁部１８が傾斜した状態として、内周側側壁部２０の長さｈ１と、空気通路２１のうち、内周側側壁部２０の一端２０ａよりも図中下側に位置する部分の最大深さｈ３とを、巻き始め部２２から巻き終わり部２３までの間において、徐々に長くなるように変化させてもよい。
【００６５】
（４）第３実施形態では、内周側側壁部２０の長さｈ１と、空気通路２１のうち、内周側側壁部２０の一端２０ａよりも図中下側に位置する部分の最大深さｈ３とは、ともに、徐々に長くなるように変化していたが、徐々にではなく、階段状に変化させても良い。
【００６６】
また、第３実施形態では、内周側側壁部２０の長さｈ１と、空気通路２１のうち、内周側側壁部２０の一端２０ａよりも図中下側に位置する部分の最大深さｈ３の両方が、巻き始め部２２から巻き終わり部２３までの間において、変化していたが、どちらか一方が変化して、他方が一定であっても良い。
【００６７】
（５）上記した各実施形態は、実施可能な範囲で任意に組み合わせが可能である。例えば、第３実施形態を、第１、第２実施形態のそれぞれに組み合わせることも可能である。
【図面の簡単な説明】
【００６８】
【図１】本発明の第１実施形態における遠心送風機１０の上面図である。
【図２】図１中のＺ１−Ｚ１断面図である。
【図３】図１の遠心送風機１０の要部断面図である。
【図４】本発明の第２実施形態における遠心送風機１０の上面図である。
【図５】図４中のＺ２−Ｚ２断面図である。
【図６】本発明の第３実施形態における遠心送風機１０の断面図である。
【図７】（ａ）は、図１におけるＡ−Ａ断面図であり、（ｂ）は図１におけるＢ−Ｂ断面図であり、（ｃ）は図１におけるＣ−Ｃ断面図であり、（ｄ）は図１におけるＤ−Ｄ断面図である。（ｅ）は図１におけるＥ−Ｅ断面図であり、（ｆ）は図１におけるＦ−Ｆ断面図である。
【図８】本発明の第４実施形態における遠心送風機１０の断面図である。
【図９】本発明の第５実施形態における遠心送風機１０の断面図である。
【図１０】本発明が解決使用とする課題を説明するための遠心式送風機の要部断面図である。
【符号の説明】
【００６９】
１１…遠心式多翼ファン、１２…回転軸、１３…ブレード、
１５…スクロールケーシング、１６…吸入口、
１７…吸入口側壁部、１８…モータ側壁部、
１９…外周側側壁部、２０…内周側側壁部、
２１…空気通路、２２…巻き始め部、２３…巻き終わり部。
【図１】
0005029178.tif 000002
【図２】
0005029178.tif 000003
【図３】
0005029178.tif 000004
【図４】
0005029178.tif 000005
【図５】
0005029178.tif 000006
【図６】
0005029178.tif 000007
【図７】
0005029178.tif 000008
【図８】
0005029178.tif 000009
【図９】
0005029178.tif 000010
【図１０】
0005029178.tif 000011